(57)【要約】【課題】組立工程を簡略化し、コストの増加を防止し得る自動車の車体構造を提供する。【解決手段】ダッシュサイドパネル２における当該ダッシュサイドパネル２端部のカウルトップパネル１が接合される第３接合部９と、ダッシュパネル３の側縁部のダッシュサイドパネル２が接合される第１接合部７とが重なる部位に、シール部材貫通部５を設け、シール部材６が当該シール部材貫通部５を貫通することによって、前記ダッシュパネル３、ダッシュサイドパネル２およびカウルトップパネル１間を一体にシールするようにした。【選択図】　　　図１
2004106749.tif 000002
【特許請求の範囲】
【請求項１】
車両上下方向に設けられるダッシュパネルと、車両上下方向に設けられ上記ダッシュパネルに略直角に交わるダッシュサイドパネルと、上記ダッシュサイドパネルと略平行に設けられるカウルトップパネルを有し、上記ダッシュパネルの側縁部には、上記ダッシュサイドパネルが接合される第１接合部と、上記カウルトップパネルが接合される第２接合部が設けられ、上記ダッシュサイドパネル端部には、カウルトップパネルが接合される第３接合部を設け、上記第１接合部および第３接合部に、シール部材が配された車体構造において、
上記ダッシュサイドパネルにおける第３接合部と第１接合部との重なる部位にシール部材貫通部を設け、
上記シール部材が上記シール部材貫通部を貫通することによって、上記ダッシュパネル、ダッシュサイドパネルおよびカウルトップパネル間をシールする
ことを特徴とする自動車の車体構造。
【請求項２】
上記シール部材保持部は、切欠き状でなる
ことを特徴とする請求項１に記載の自動車の車体構造。
【発明の詳細な説明】
【０００１】
【発明の属する技術分野】
本発明は、自動車の車体構造、とりわけ、車体上下方向に設けられるダッシュパネルと、ダッシュパネルの側部に略直交して設けられるダッシュサイドパネルおよびカウルトップパネルとの接合部近傍の水密構造に関する。
【０００２】
【従来の技術】
従来、自動車の車体構造において、車両上下方向に設けられるダッシュパネルの側縁部には、車両上下方向に設けられ前記ダッシュパネルに略直角に交わるダッシュサイドパネルが接合される第１接合部と、このダッシュサイドパネルと略平行に設けられるカウルトップパネルが接合される第２接合部が設けられる。
【０００３】
また、前記ダッシュサイドパネル端部には、前記カウルトップパネルが接合される第３接合部が設けられ、これら第１接合部ないし第３接合部には、車体前方からの水入りを防止するための水密用シール部材がそれぞれ配設されている。
【０００４】
例えば、特許文献１に記載の従来技術によればダッシュパネルとカウルトップパネルとを接合して、カウルボックスを構成しており、ダッシュパネルの側縁部に接合したダッシュサイドパネルで、その外側面にフロントピラーアウタロアを接合してフロントピラーロアを構成していた。
【０００５】
【特許文献１】
特開平８−１６４８７３号公報（第５ページ、第１図）
【０００６】
【発明が解決しようとする課題】
しかしながら、かかる構造の車体の場合、前記ダッシュサイドパネルの車体前後方向における前端部付近において、前記第１接合部と第２接合部は、ダッシュパネル側方に水密用シール部材を配設することによって一体にシールされるものの、第３接合部は、別途水密用シール部材を配設する必要があり、このことが組立工程を煩雑にさせるとともに、コストを増加させる要因となっている。
【０００７】
そこで、本発明はかかる従来の課題に鑑みてなされたものであり、組立工程を簡略化し、コストの増加を防止し得る自動車の車体構造を提供することを目的とする。
【０００８】
【課題を解決するための手段】
本発明にあっては、ダッシュサイドパネルにおける当該ダッシュサイドパネル端部のカウルトップパネルが接合される第３接合部と、ダッシュパネルの側縁部のダッシュサイドパネルが接合される第１接合部とが重なる部位に、シール部材貫通部を設け、シール部材が当該シール部材貫通部を貫通することによって、前記ダッシュパネル、ダッシュサイドパネルおよびカウルトップパネル間を一体にシールするようにしている。
【０００９】
【発明の効果】
本発明によれば、ダッシュサイドパネルにおける当該ダッシュサイドパネル端部のカウルトップパネルが接合される第３接合部と、ダッシュパネルの側縁部のダッシュサイドパネルが接合される第１接合部とが重なる部位にシール部材貫通部を設けるようにしたことにより、シール部材が、このシール部材貫通部を貫通してダッシュパネル、ダッシュサイドパネルおよびカウルトップパネル間を一体にシールすることができるため、第１、第２接合部と第３接合部とに、それぞれシール部材を配設する手間を省くことができ、かくして組立工程を簡略化し、コストの増加を防止し得る自動車の車体構造を提供することができる。
【００１０】
【発明の実施の形態】
以下、本発明の一実施形態を図面と共に詳述する。
【００１１】
図１は本発明の一実施形態を示す斜視図であり、図２はその要部（図１中、Ａ−Ａで示す断面）を拡大して示す断面図である。
【００１２】
図１および図２において、１はカウルトップパネル、２はダッシュサイドパネル、３はダッシュパネル、４はフロントピラを示している。因みに、図１中矢印Ｘ、Ｙ、Ｚは、それぞれ車体上方方向、車体後方方向、車室内側方向を指している。
【００１３】
図１に示すように、車体上下方向に設けられたダッシュパネル３の側縁部下方には、ダッシュサイドパネル２が接合される第１接合部７が、上方にはカウルトップパネル１が接合される第２接合部８が設けられている。
【００１４】
この第１接合部７では、ダッシュパネル３に略直交するようにダッシュサイドパネル２が接合されており、第２接合部８では、ダッシュサイドパネル２にほぼ平行で、ダッシュパネル３に略直交するようにカウルトップパネル１が接合されている。
【００１５】
また、ダッシュサイドパネル２の上端には、カウルトップパネル１と接合される第３接合部９が設けられ、カウルトップパネル１とダッシュサイドパネル２とが接合されている。
【００１６】
さらに、カウルトップパネル１およびダッシュサイドパネル２の車室外側には、フロントピラ４が接合されている。
【００１７】
ダッシュサイドパネル２に設けられた第３接合部９における第１接合部７と重なり合う部位には、シール部材貫通部としての例えばＵ字状でなる切欠部５が設けられており、この切欠部５では、ダッシュパネル３、カウルトップパネル１およびダッシュサイドパネル２の３枚のパネルがほぼ接するようになっている。
【００１８】
そして、ダッシュパネル３とダッシュサイドパネル２が接合される第１接合部７、ダッシュパネル３とカウルトップパネル１が接合される第２接合部８には、シール部材としての水密用の塗装シーラ６が設けられる。
【００１９】
このとき、切欠部５ではダッシュパネル３、カウルトップパネル１およびダッシュサイドパネル２の３枚のパネルがほぼ重なり合うようになっていることから、この塗装シーラ６が切欠部５を貫通することによって、これら３枚のパネル間、すなわち第１接合部７ないし第３接合部９を一体に水密シールすることが可能となっている。
【００２０】
このようにして、本実施形態によれば、第３接合部９の第１接合部７と重なる部位に切欠部５を設けるようにしたことにより、ダッシュパネル３のカウルトップパネル１およびダッシュサイドパネル２との接合側に塗布される塗装シーラ６が切欠部５を介して、これらカウルトップパネル１と、ダッシュサイドパネル２およびダッシュパネル３間を一体に水密シールすることができるため、１つのシール部材（塗装シーラ６）でカウルトップパネル１、ダッシュサイドパネル２およびダッシュパネル３間を水密シールすることが可能となり、自動車の車体の組立工程を格段と容易にすることができるばかりでなく、コストの増加をも防止することができる。
【００２１】
また、ダッシュサイドパネル２に切欠部５を設けたことにより、前記カウルトップパネル１、ダッシュサイドパネル２およびダッシュパネル３の組付け後に、これらカウルトップパネル１、ダッシュサイドパネル２およびダッシュパネル３間の水密シール状態を目視確認することができる。
【００２２】
従って、切欠部５付近における塗装シーラ６による水密シール性能に不良が生じた場合においても、容易に補修することができる。
【００２３】
なお、本発明における自動車の車体構造を、上述した一実施形態を例に取って説明したが、本発明はこれに限ることなく、本発明の要旨を逸脱しない範囲で各種実施形態を採用することができる。例えば、上述においてはシール部材貫通部として、Ｕ字状の切欠部５を用いるようにした場合について述べたが、これに限ることなく、シール部材貫通部としては、円形状であっても長穴状の形状であっても本発明を適用することができる。
【００２４】
また、上述した実施形態においては、車体の運転席側におけるカウルトップパネル１、ダッシュサイドパネル２およびダッシュパネル３間の水密シール構造を例に取って説明したが、車体の助手席側においても同様に構成されていることは言うまでもない。
【図面の簡単な説明】
【図１】本発明による自動車の車体構造における一実施形態を示す斜視図である。
【図２】図１における要部（Ａ−Ａ断面）を示す断面図である。
【符号の説明】
１　カウルトップパネル
２　ダッシュサイドパネル
３　ダッシュパネル
４　フロントピラ
５　切欠部（シール部材貫通部）
６　塗装シーラ（シール部材）
７　第１接合部
８　第２接合部
９　第３接合部
【図１】
2004106749.tif 000003
【図２】
2004106749.tif 000004